(57)【要約】 【課題】  簡単な構造で、且つ、複数のユーザが公平に且つ容易に共用することができるデータ記録再生装置を提供することにある。【解決手段】  本発明によると、データ記録再生装置は、ユーザ識別情報を入力するユーザ識別情報入力手段と、記録媒体上にてデータを記録し又はデータを読み取るピックアップ手段と、を有し、ユーザからユーザ登録の命令を入力したとき、上記ピックアップ手段を介して、記録媒体にユーザ毎にユーザ識別情報と記録領域として割り当て領域を記録する。【選択図】  図１
2005339599.tif 000002
【特許請求の範囲】
【請求項１】
ユーザの身体固有の特徴から得られるユーザ識別情報を入力するユーザ識別情報入力手段と、記録媒体上にてデータを記録し又はデータを読み取るピックアップ手段と、を有し、ユーザからユーザ登録の命令を入力したとき、上記ピックアップ手段を介して、記録媒体にユーザ毎にユーザ識別情報と記録可能領域として割り当て領域を記録することを特徴とするデータ記録再生装置。
【請求項２】
請求項１に記載のデータ記録再生装置において、更に、上記ユーザ識別情報入力手段を介して入力したユーザ識別情報と記録媒体に記録されたユーザ識別情報を照合し上記ユーザ識別情報入力手段を介して入力したユーザ識別情報が正当であるか否かを判定するユーザ認証手段と、を有することを特徴とするデータ記録再生装置。
【請求項３】
請求項２に記載のデータ記録再生装置において、ユーザからデータの記録の命令を入力したとき、上記ユーザ認証手段が上記ユーザ識別情報入力手段を介して入力したユーザ識別情報が正当であると判定した場合に、上記ピックアップ手段を介して記録媒体の上記ユーザの割り当て領域にデータを記録することを特徴とするデータ記録再生装置。
【請求項４】
請求項１に記載のデータ記録再生装置において、ユーザからデータの再生の命令を入力したとき、記録媒体に記録されている全てのデータの一覧を表示装置に表示することを特徴とするデータ記録再生装置。
【請求項５】
請求項１に記載のデータ記録再生装置において、ユーザからデータの再生の命令を入力したとき、記録媒体におけるユーザ毎の割り当て領域と各割り当て領域の使用状態の一覧を表示装置に表示することを特徴とするデータ記録再生装置。
【請求項６】
請求項２に記載のデータ記録再生装置において、ユーザからデータの再生の命令を入力したとき、上記ユーザ認証手段が上記ユーザ識別情報入力手段を介して入力したユーザ識別情報が正当であると判定した場合に、上記ピックアップ手段を介して記録媒体に記録されたデータを再生することを特徴とするデータ記録再生装置。
【請求項７】
請求項２に記載のデータ記録再生装置において、ユーザからデータの再生の命令を入力したとき、上記ユーザ認証手段が上記ユーザ識別情報入力手段を介して入力したユーザ識別情報が正当であると判定した場合に、記録媒体に記録されている当該ユーザが記録したデータの一覧を表示装置に表示することを特徴とするデータ記録再生装置。
【請求項８】
請求項７に記載のデータ記録再生装置において、更に、当該ユーザに対する割り当て領域における使用状態を表示装置に表示することを特徴とするデータ記録再生装置。
【請求項９】
データ記録領域とリードインエリアを有するディスク状記録媒体において、上記リードインエリアにユーザ毎のユーザ識別情報と記録領域として割り当て領域が記録されていることを特徴とする記録媒体。
【発明の詳細な説明】
【技術分野】
【０００１】
本発明はデータを記録し再生するデータ記録再生装置に関し、特に、映像及び音声を記録し再生するデータ記録再生装置に関する。
【背景技術】
【０００２】
図９を参照して特開２０００−１７５１１７号公報に記載されているパレンタルロックの機能が備えられたテレビジョン受像機について説明する。テレビジョン受像機は、ユーザ認識手段９１、システム制御手段９２、番組データ入力手段９３、タイマ９４、チャンネル制御手段９５、映像表示手段９６、ユーザ番組選択手段９７及びユーザ情報蓄積手段９８を有する。ユーザ認識手段９１は、カメラによる顔識別、指紋認識、音声認識等によってテレビジョン受像機を視聴しているユーザを認識し、識別する。ユーザ情報蓄積手段９８は、ユーザ毎の視聴制限データを格納する。視聴制限データには、視聴制限の対象となる番組のジャンル、分野、番組名等が含まれる。
【０００３】
ユーザ番組選択手段９７は、ユーザからの番組選択要求を入力すると、それをシステム制御手段９２に送信する。システム制御手段９２は、ユーザ認識手段９１からユーザ名を入手し、ユーザ情報蓄積手段９８からそのユーザに関する視聴制限データを入手し、番組データ入力手段９３から選択要求された番組のデータを入手し、パレンタルロックをかけるべきかどうかを判断する。パレンタルロックをかける必要があると判断した場合には、ユーザ番組選択手段９７からの番組選択要求を拒否する。パレンタルロックをかける必要がないと判断した場合には、ユーザ番組選択手段９７からの番組選択要求に基いて、番組内容をチャンネル制御手段９５に送信し、映像表示手段９６によって表示する。
【０００４】
この公報に記載された例によると、番組を視聴するときに、視聴者のパスワード等を入力する必要もなく、またそのようなパスワードを登録する必要もない。また、複数の視聴者が同時に同一番組を視聴する場合でも、全ての視聴者を認識することができるので、視聴者の中に、低年齢のユーザがいる場合には、そのユーザを考慮して、パレンタルロックをかけることができる。更に、番組の途中で、視聴者の変更があっても、ユーザ認識を行うことができる。
【０００５】
図１０を参照して、特開平１１−３０６６７２号公報に記載された、１つの記録媒体を複数のユーザで使い分けることができるオーディオ／ビデオデータの記録装置、再生装置および記録再生装置を説明する。この例では、記録媒体に記録された記録データは、補助データ、映像データ、音声（オーディオ）データ、トラッキングデータを含む。補助データは、タイムコード、映像録画年月日、音声（オーディオ）録音年月日、タイトルコード、チャプター番号、ユーザ識別コード、及び、トラック位置を含む。
【０００６】
ユーザは、記録媒体にデータを記録するとき、リモートコントロール装置よりユーザ識別コードを入力する。それにより、記録データに、ユーザ識別コードが挿入される。ユーザが、記録媒体に記録されたデータを再生するとき、記録データに含まれるユーザ識別コードが読み出され、装置を使用しているユーザの識別コードと照合される。両者が一致した場合には、再生される。こうして、１つの記録媒体を複数のユーザで使い分けることができる。
【０００７】
【特許文献１】特開２０００−１７５１１７号公報
【特許文献２】特開平１１−３０６６７２号公報
【発明の開示】
【発明が解決しようとする課題】
【０００８】
特開２０００−１７５１１７号公報に記載された例では、ユーザ情報蓄積手段をテレビジョン受像機に設ける必要があり、装置が複雑になる。また、特開平１１−３０６６７２号公報に記載された例では、記録データにユーザ識別コードを付加するため、ある特定のユーザが装置を頻繁に使用すると、他のユーザがその装置を使用することができなくなり、複数のユーザで１つの装置を公平に使用することができない。
【０００９】
本発明の目的は、簡単な構造で、且つ、複数のユーザが公平に且つ容易に共用することができるデータ記録再生装置を提供することにある。
【課題を解決するための手段】
【００１０】
本発明によると、データ記録再生装置は、ユーザ識別情報を入力するユーザ識別情報入力手段と、記録媒体上にてデータを記録し又はデータを読み取るピックアップ手段と、を有し、ユーザからユーザ登録の命令を入力したとき、上記ピックアップ手段を介して、記録媒体にユーザ毎にユーザ識別情報と記録領域として割り当て領域を記録する。
【００１１】
本発明によると、ユーザからデータの記録の命令を入力したとき、上記ユーザ認証手段が上記ユーザ識別情報入力手段を介して入力したユーザ識別情報が正当であると判定した場合に、上記ピックアップ手段を介して記録媒体の上記ユーザの割り当て領域にデータを記録する。
【００１２】
本発明によると、ユーザからデータの再生の命令を入力したとき、上記ユーザ認証手段が上記ユーザ識別情報入力手段を介して入力したユーザ識別情報が正当であると判定した場合に、上記ピックアップ手段を介して記録媒体に記録されたデータを再生する。
【発明の効果】
【００１３】
本発明によると１つの記録媒体を複数のユーザが仲良く使用することができる。又、パレンタルロックの機能を提供することができる。
【発明を実施するための最良の形態】
【００１４】
図１に示すように、本例のデータ記録再生装置１２０は、受信部１２１、データ処理手段１２２、ピックアップ手段１２３、ユーザ認証手段１２４、システム制御手段１２５、映像・音声処理手段１２６、表示手段１２７、及び、チューナー部１２８を有する。リモートコントロール装置１１０は、送信部１１１、ユーザ識別情報入力手段１１２及びコマンド入力手段１１３を有する。
【００１５】
図１の例では、ユーザは、リモートコントロール装置１１０を介して、データ記録再生装置１２０を操作するが、ユーザ識別情報入力手段１１２及びコマンド入力手段１１３がデータ記録再生装置１２０に設けられている場合には、リモートコントロール装置１１０を省略してもよい。
【００１６】
本例のデータ記録再生装置１２０では、指紋、声紋、顔等の人体の一部又は人体に起因した信号を使用して本人認証を行う。しかしながら、以下では、指紋を使用して本人認証を行う場合を説明する。本例のデータ記録再生装置１２０では、記録媒体として、テープ型、ディスク型、固定型、取り外し可能型等がある。しかしながら、以下では、記録媒体としてＤＶＤディスクを用いる場合を説明する。
【００１７】
本発明によれば、記録媒体の記録領域を分割して複数のユーザに割り当てる。ユーザは、自分に割り当てられた記録領域にデータを記録する。従って、複数のユーザが１つの記録媒体を共用することができる。例えば、１枚のＤＶＤディスクを家庭内で共用するとき、一人が独占的に使用することなく、平等に使用することができる。各ユーザに対する割り当て領域をディスク毎に設定することもできる。
【００１８】
データの記録再生時には、ユーザの認証を行うから、各ユーザの割り当て領域に記録されたデータを他人が再生することはできない。即ち、パレンタルロックの機能を有する。また、各ユーザに割り当てられた領域に記録されたデータを他人が誤って消去又は上書きすることができない。
【００１９】
本例のデータ記録再生装置１２０では、「ユーザ登録」「記録」及び「再生」の３つの手順を行う。
【００２０】
図４を参照して、「ユーザ登録」の手順を説明する。ユーザは、データ記録再生装置１２０に新しいＤＶＤディスク１３０を装填し、電源をオンにする。又は、電源をオンにし、データ記録再生装置１２０に新しいＤＶＤディスク１３０を装填する。ステップＳ４０１にて、各ユーザはリモートコントロール装置１１０のユーザ識別情報入力手段１１２より、指紋データを入力する。ステップＳ４０２にて、各ユーザはリモートコントロール装置１１０のコマンド入力手段１１３より、ＤＶＤディスクにおける各ユーザの割り当て領域を入力する。割り当て領域は、全割り当て領域に対する割合（％）、又は、記録容量によって表される。割り当て領域は、ユーザ間で等分割してもよいし、データ記録再生装置を使用する頻度に応じて割り当ててもよい。例えば、頻繁に使用するユーザに多くの領域を割り当て、ほとんど使用しないユーザには少ない領域を割り当てる。
【００２１】
ユーザ識別情報入力手段１１２及びコマンド入力手段１１３によって入力された指紋データと割り当て領域データは、送信部１１１を介して送信され、データ記録再生装置１２０の受信部１２１によって受信される。
【００２２】
ステップＳ４０３にて、データ記録再生装置１２０のデータ処理手段１２２は、指紋データ及び割り当て領域データをＤＶＤディスクに記録可能なデータに変換し、ユーザ毎に、一つのユーザ管理情報に纏める。
【００２３】
ステップＳ４０４にて、データ記録再生装置１２０のピックアップ手段１２３は、各ユーザ管理情報をＤＶＤディスク１３０に記録する。こうして、ＤＶＤディスク１３０には、複数のユーザのユーザ管理情報が記録される。
【００２４】
図２は、ＤＶＤディスクに記録されたユーザ管理情報の例を示す。ユーザ管理情報は、ユーザ名、ユーザ識別情報、即ち、指紋データ、及び、ユーザへの割り当て領域からなる。ここでは、ユーザ識別情報として、指紋データを挙げたが、声紋データ、顔写真データであってもよい。指紋データ及び顔写真データの場合は画像データであるが、声紋データの場合には音声データである。
【００２５】
図３に示すように、ＤＶＤディスクの最内周には、そのディスクのセッションやトラックなどのディスク情報が記録されているリードインエリアと呼ばれるエリアが用意されている。ユーザ管理情報は、このリードインエリアに、ディスク情報と共に記録される。ＤＶＤディスクにデータを記録する場合、データは、各ユーザの割り当て領域に記録される。
【００２６】
図５を参照して、「記録」の手順を説明する。ここでは、ユーザがデータ記録再生装置１２０を用いてＴＶ放送をＤＶＤディスク１３０に録画する場合を説明する。ユーザは、データ記録再生装置１２０に「ユーザ登録」がなされたＤＶＤディスクを装填し、電源をオンにする。又は、電源をオンにし、データ記録再生装置１２０に「ユーザ登録」がなされたＤＶＤディスクを装填する。
【００２７】
ステップＳ５０１にて、データ記録再生装置１２０のピックアップ手段１２３は、ＤＶＤディスク１３０のリードインエリアより、ディスク情報とユーザ管理情報を読み取る。ピックアップ手段１２３により読み取られたユーザ管理情報は、データ処理手段１２２に送られる。
【００２８】
ステップＳ５０２にて、データ処理手段１２２は、ユーザ管理情報より、指紋データと割り当て領域データを読み取る。ステップＳ５０３にて、データ処理手段１２２は、指紋データをユーザ認証手段１２４に送信し、割り当て領域データをシステム制御手段１２５に送信する。
【００２９】
ステップＳ５０４にて、ユーザはリモートコントロール装置１１０のユーザ識別情報入力手段１１２に指紋を押し当てる。ユーザ識別情報入力手段１１２は、指紋を読み取り、読み取った指紋データをリモートコントロール装置の送信部１１１から送信する。データ記録再生装置１２０の受信部１２１は、指紋データを受信し、それを、データ処理手段１２２を介してユーザ認証手段１２４に送信する。
【００３０】
ステップＳ５０５にて、ユーザ認証手段１２４は、リモートコントロール装置１１０から送信された指紋データと、ディスク１３０に記録されている指紋データを照合する。
【００３１】
ステップＳ５０６にて、リモートコントロール装置１１０から送信された指紋データがディスク１３０に記録されている指紋データ中にある場合には、ＤＶＤディスクへの記録可と判断し、記録可の情報をシステム制御手段１２５に送信し、ステップＳ５１１に進む。リモートコントロール装置１１０から送信された指紋データがディスク１３０に記録されている指紋データ中にない場合には、ＤＶＤディスクへの記録不可と判断し、記録不可の情報をシステム制御手段１２５に送信し、ステップＳ５２１に進む。
【００３２】
ステップＳ５１１にて、システム制御手段１２５は、ユーザの割り当て領域、使用済領域（録画済み領域）及び未使用領域を、表示手段１２７に表示する。ステップＳ５１２にて、ユーザが記録開始ボタンを押すと、記録が開始される。ステップＳ５１３にて、システム制御手段１２５は、ユーザの割り当て領域データを映像・音声処理手段１２６に送信する。映像・音声処理手段１２６は、チューナー１２８より入力された映像・音声データを処理し、ピックアップ手段１２３に送信する。ピックアップ手段１２３は、ＤＶＤディスク１３０のデータ記録エリアのうち、ユーザの割り当て領域データに、映像・音声信号を記録する。
【００３３】
尚、ユーザの割り当て領域のうち未使用領域が無くなった場合には、記録作業を中止してもよいが、どのユーザにも割り当てられていない領域がある場合には、自動的にその領域に記録されてよい。
【００３４】
ステップＳ５２１にて、システム制御手段１２５は、ユーザの認証が失敗したため、ＤＶＤディスク１３０が録画不可であり、別のＤＶＤディスクを入れる必要がある旨を、表示手段１２７に表示する。
【００３５】
図６を参照して、「再生」の手順を説明する。ここでは、ユーザがデータ記録再生装置１２０を用いてＤＶＤディスク１３０に記録されたＴＶ放送を再生する場合を説明する。ユーザは、データ記録再生装置１２０に「ユーザ登録」及び「記録」がされたＤＶＤディスクを装填し、電源をオンにする。又は、電源をオンにし、データ記録再生装１２０に「ユーザ登録」及び「記録」がされたＤＶＤディスクを装填する。
【００３６】
ステップＳ６０１にて、データ記録再生装置１２０のピックアップ手段１２３は、ＤＶＤディスク１３０のリードインエリアより、ディスク情報とユーザ管理情報を読み取る。ピックアップ手段１２３により読み取られたユーザ管理情報は、データ処理手段１２２に送られる。
【００３７】
ステップＳ６０２にて、データ処理手段１２２はユーザ管理情報より、指紋データと割り当て領域データを読み取る。ステップＳ６０３にて、データ処理手段１２２は、指紋データをユーザ認証手段１２４に送信し、割り当て領域データをシステム制御手段１２５に送信する。
【００３８】
ステップＳ６０４にて、システム制御手段１２５は、ＤＶＤディスク１３０に記録された全録画データのリストと各ユーザに対する割り当て領域データを表示手段１２７に表示する。
【００３９】
図７は、表示手段１２７に表示されたＤＶＤディスク１３０に記録された全録画データのリストと各ユーザに対する割り当て領域データの表示例を示す。全録画データのリストは、録画データ又は番組のタイトルのリストを文字により表示してもよいが、図示の例のように代表画面のサムネイルを表示してもよい。割り当て領域データは、全てのユーザの割り当て領域の相対的な容量が判るように表示される。尚、図７には示されていないが、どのユーザにも割り当てられていない領域がある場合には、それも表示される。また、各割り当て領域は、録画済み領域と未使用領域に区分して表示される。更に、録画済み領域のうち選択されたデータが格納された領域が表示される。
【００４０】
ステップＳ６０５にて、ユーザはリモートコントロール装置１１０のユーザ識別情報入力手段１１２に指紋を押し当てる。ユーザ識別情報入力手段１１２は、指紋を読み取り、読み取った指紋データをリモートコントロール装置の送信部１１１から送信する。データ記録再生装置１２０の受信部１２１は、指紋データを受信し、それを、データ処理手段１２２を介してユーザ認証手段１２４に送信する。
【００４１】
ステップＳ６０６にて、ユーザ認証手段１２４は、リモートコントロール装置１１０から送信された指紋データと、ディスク１３０に記録されている指紋データを照合する。ステップＳ６０７にて、リモートコントロール装置１１０から送信された指紋データがディスク１３０に記録されている指紋データ中にある場合には、ＤＶＤディスクの再生可と判断し、再生可の情報をシステム制御手段１２５に送信し、ステップＳ６１１に進む。リモートコントロール装置１１０から送信された指紋データがディスク１３０に記録されている指紋データ中にない場合には、ＤＶＤディスクの再生不可と判断し、再生不可の情報をシステム制御手段１２５に送信し、ステップＳ６２１に進む。
【００４２】
ステップＳ６１１にて、システム制御手段１２５は、ユーザによる再生が可能なデータ、番組、映画等のタイトルのリスト、割り当て領域、録画済み領域及び未使用領域を、表示手段１２７に表示する。
【００４３】
図８は、表示手段１２７に表示されたＤＶＤディスク１３０に記録された再生可能なデータのリストとそのユーザに対する割り当て領域データの例を示す。再生可能なデータのリストは、データ又は番組のタイトルのリストを文字により表示してもよいが、図示の例のように代表画面のサムネイルを表示してもよい。割り当て領域データは、録画済み領域と未使用領域に区分して表示される。更に、録画済み領域のうち選択されたデータが格納された領域が表示される。
【００４４】
ステップＳ６１２にて、ユーザがタイトルを選択し、再生開始ボタンを押すと、再生が開始される。システム制御手段１２５は、ピックアップ手段１２３によって得られた映像・音声信号を映像・音声処理手段１２６に送信する。映像・音声処理手段１２６は、表示手段１２７によって再生可能な映像・音声信号を生成する。
【００４５】
ステップＳ６２１にて、システム制御手段１２５は、ユーザの認証が失敗したため、ＤＶＤディスク１３０の再生が不可であり、別のＤＶＤディスクを入れる必要がある旨を、表示手段１２７に表示する。
【００４６】
以上、本発明の例を説明したが、本発明は上述の例に限定されるものではなく、特許請求の範囲に記載された発明の範囲内にて様々な変更が可能であることは当業者に理解可能であろう。
【図面の簡単な説明】
【００４７】
【図１】本発明によるデータ記録再生装置の構成を示すブロック図である。
【図２】本発明によるデータ記録再生装置にて使用するユーザ管理情報の例を示す図である。
【図３】本発明によるデータ記録再生装置の記録ディスクの構造を示す図である。
【図４】本発明によるデータ記録再生装置の「ユーザ登録」の手順を示す図である。
【図５】本発明によるデータ記録再生装置の「記録」の手順を示す図である。
【図６】本発明によるデータ記録再生装置の「再生」の手順を示す図である。
【図７】本発明によるデータ記録再生装置のメニュー画面を示す図である。
【図８】本発明によるデータ記録再生装置のメニュー画面を示す図である。
【図９】従来のテレビジョン受像機の構成例を示すブロック図である。
【図１０】従来のオーディオ／ビデオデータの記録装置、再生装置および記録再生装置の記録データの構造を示す図である。
【符号の説明】
【００４８】
１１０…リモートコントロール装置、１１１…送信部、１１２…ユーザ識別情報入力手段、１１３…コマンド入力手段、１２０…データ録画再生装置、１２１…受信部、１２２…データ処理手段、１２３…ピックアップ手段、１２４…ユーザ認証手段、１２５…システム制御手段、１２６…映像・音声処理手段、１２７…表示手段、１２８…チューナー部、１３０…記録ディスク
【図１】
2005339599.tif 000003
【図２】
2005339599.tif 000004
【図３】
2005339599.tif 000005
【図４】
2005339599.tif 000006
【図５】
2005339599.tif 000007
【図６】
2005339599.tif 000008
【図７】
2005339599.tif 000009
【図８】
2005339599.tif 000010
【図９】
2005339599.tif 000011
【図１０】
2005339599.tif 000012